(57)【特許請求の範囲】
【請求項１】
ａ）兵器砲身（１）の砲口領域（３）内において、多数の相前後している、兵器砲身（１）の腔線軸（１５）に対して垂直な面内に、半径方向または角度をもって延びる、兵器砲身（１）の壁を貫通して成る開口（１６）が設けられており；
ｂ）兵器砲身（１）の開口（１６）を有する砲口領域（３）の上に、ジャケット管（４）が配置されており、前記ジャケット管は、直径方向に対向する、周方向に延びるスリット形状のガス流出開口（１７）を有しており；
ｃ）ジャケット管（４）は、その内側の表面（１１）に多数の円形に一周する溝（１８）を有しており、前記溝はそれぞれ、対応するスリット形状のガス流出開口（１７）内で終了しており、かつ前記溝内へ、砲身兵器（１）の面内にある開口（１６）が連通している；
ことを特徴とする、特に大口径の砲身兵器のための、砲口制退器（２）を有する兵器砲身。
【請求項２】
隣り合った面の開口（１６）は、互いにずらして配置されていることを特徴とする請求項１に記載の兵器砲身。
【請求項３】
兵器砲身（１）の開口（１６）が、孔またはスリットであることを特徴とする請求項１または２に記載の兵器砲身。
【請求項４】
ジャケット管（４）を固定するために、兵器砲身（１）はリング状のストッパ（５）を有しており、前記ストッパにジャケット管（４）の後方が支持され、かつ、
砲口側にねじリング（７）が設けられており、前記ねじリングによってジャケット管（４）がストッパ（５）に対して押圧されることを特徴とする請求項１から３のいずれか１項に記載の兵器砲身。
【請求項５】
兵器砲身（１）の外側表面（１０）も、ジャケット管（４）の内側表面（１１）も、やや円錐状に、兵器砲身（１）の砲口（１２）へ向かって細くなっていることを特徴とする請求項３に記載の兵器砲身。
【発明の詳細な説明】
【０００１】
【発明の属する技術分野】
本発明は、特に大口径の砲身兵器のための、砲口制退器を有する兵器砲身に関する。
【０００２】
【従来の技術】
欧州特許第８５７５４号明細書（ＥＰ００８５７５４Ｂ１）からは兵器砲身が知られており、その兵器砲身においては逆行エネルギを減少させるために、兵器砲身の砲口端部に別体の砲口制退器が固定されている。この砲口制退器は、兵器砲身と整合する、その周面の回りに半径方向の孔を備えた、口径の等しい内径を有する管片と、この管片を包囲するジャケット管を有しており、そのジャケット管は直径方向に対向する、砲腔軸に対して垂直に延びるガス流出開口を有している。
【０００３】
この公知の配置において、欠点として明らかにされているのは、この種の砲口制退器の使用は、それぞれの兵器砲口の複雑な加工を必要とすることである。というのは、発射の際に砲口制退器に比較的高い負荷（高い加速力、制動作用による高い引っ張り力）が作用するので、砲口制退器を兵器砲身へ固定するねじ結合もこの負荷に応じて設計しなければならないからである。さらに、飛翔体のために兵器砲身の砲口径と砲口制退器の間の衝撃のない移行を得るために、砲口制退器の複雑な加工が必要である。このことは特に、施条された兵器砲身に言えることであって、それにおいてはさらに兵器砲身の腔線−フィールド−プロフィールと砲口制退器の間の衝撃のない移行に留意しなければならない。
【０００４】
【発明が解決しようとする課題】
本発明の課題は、発射の際に従来の兵器砲身と同等な高い負荷が、砲口制退器の、兵器砲身と取り外し可能に結合されている部分に作用することのない、兵器砲身と砲口制退器からなる配置を提供することである。
【０００５】
【課題を解決するための手段】
この課題は、本発明によれば、請求項１の特徴によって解決される。本発明の他の、特に好ましい形態を、従属請求項が開示している。
【０００６】
本発明は、大体において、兵器砲身の砲口側の端部自体を砲口制退器の一部として形成する、すなわち兵器砲身の回りにリング状に配置された多数の孔を設ける、という考えに基づいている。この砲口側の兵器砲身部分の上に、ジャケット管が固定され、そのジャケット管は直径方向に対向する、周方向に延びるスリット形状のガス流出開口を有している。
【０００７】
好ましくはジャケット管は、その内側の表面に多数の円形の溝を有しており、その溝はそれぞれ、対向するスリット形状のガス流出開口内で終了しており、かつその溝内へそれぞれ兵器砲身の面内にある孔が連通している。
【０００８】
兵器砲身と砲口制退器の本発明に基づく配置においては、発射の際に制動力の８０％までは直接兵器砲身へ伝達され、制動力の約２０％だけをジャケット管から兵器砲身へ伝達すればよいので、ジャケット管とそれに応じた固定ねじなどを、完全に別体の砲口制退器を備えた、比較し得る兵器砲身配置よりもずっと小さい寸法に設計することができる。従って本発明に基づく配置は、比較し得る公知の配置に比べて小さい重量を有している。
【０００９】
さらに、兵器砲身と砲口制退器の本発明に基づく配置は、兵器砲身の砲口を極めて簡単に加工できることを特徴としている。さらに、砲口制退器の領域内での飛翔体の衝撃のない通過、発射エラー角度のネガティブな影響のないこと、従って高い命中精度が保証される。
【００１０】
兵器砲身の、砲口の領域において軸方向に隣接する開口は、好ましくは互いに変位して配置される。それによって一方では、兵器砲身に対する強度要請が考慮され、他方ではこの砲身領域における飛翔体の衝撃のない通過が保証される。
【００１１】
砲口領域における兵器砲身の開口の断面は、円形またはスリットの形状も、多角形の形状も有することができる。
【００１２】
開口の大きさと形状も、開口の数も、そして兵器砲身の砲口領域における開口の、腔線軸に関する位置も（半径方向または角度をもって）、それぞれ砲口制退器の所望の作用に依存する。
【００１３】
【発明の実施の形態】
本発明の他の詳細と利点は、以下で図面を用いて説明する実施例から明らかにされる。
【００１４】
図１から３には、戦車兵器の大口径の兵器砲身が符号１で示されており、その兵器砲身の前側には砲口制退器２が設けられている。砲口制退器２は兵器砲身１の砲口領域３と砲口領域３の上に配置されているジャケット管４を有しており、そのジャケット管は後ろ側において兵器砲身１のリング状のストッパ５に支持され、前側においては砲身兵器１のねじ６上に螺合可能なねじリング７によって保持される。
【００１５】
ジャケット管４を回動しないように固定するために、ジャケット管４内に、嵌め合いばね９を有する嵌め合いばね溝８が形成されており、その嵌め合いばねは兵器砲身１のリング状のストッパ５内の図示されていない溝へ嵌入する。
【００１６】
ジャケット管４の迅速な取り付けも兵器砲身１上での固定的な嵌め合いも保証するために、兵器砲身１の外側表面１０も、ジャケット管４の内側表面１１も、兵器砲身１の砲口１２へ向かってやや円錐状に細くなる推移を有している。
【００１７】
さらに、ジャケット管４には、前側に固定された固定片１３が設けられており、その固定片はねじリング７の切欠き歯切り１４内へ相補形状で嵌入して、このねじリングをゆるまないように固定する。
【００１８】
兵器砲身１の砲口領域３内において、多数の相前後している、腔線軸１５に対して垂直に配置された面内に、半径方向に延びる孔１６が設けられており、隣り合った面の孔１６は、互いに対してずれて配置されている。
【００１９】
兵器砲身１の孔１６上に配置されているジャケット管４は、孔面の数に相当する数の、直径方向に対向して周方向に延びるスリット形状のガス流出開口１７を有している。さらに、ジャケット管４は、その内側表面１１上に円形に一周する溝１８を有しており、それらの溝はそれぞれ２つの対向するスリット形状のガス流出開口１７内で終了しており、かつそれらの溝１８内へ兵器砲身１の面内にある、直接ガス流出開口１７へ連通しない孔１６が連通している。
【００２０】
側方のガス流出開口１７の配置は、弛緩する発射薬ガスの定められた流出を保証する。さらに、ガス流出開口１７の大きさと位置が、流出する発射薬ガスと爆鳴ガスの大きさと範囲を調節する。
【００２１】
弾薬筒（図示されていない）の点火後に、飛翔体に追従する高圧にされた発射薬ガスは、砲口制退器２の領域へ達して、兵器砲身１の孔１６（反跳面）を介してジャケット管４の一周する溝１８の壁（付加的な反跳面）へ達し、それによって逆行エネルギの減少がもたらされる。
【００２２】
ジャケット管４の前側上には、さらに砲口レファレンスシステム１９が固定されている。
【００２３】
本発明は、もちろん、上述した実施例に限定されるものではない。すなわち、兵器砲身の砲口側の開口は必ずしも孔である必要はなく、これら開口はたとえばスリット形状に形成することもできる。
【図面の簡単な説明】
【図１】砲口制退器を有する兵器砲身の砲口側領域を示す縦断面図である。
【図２】図１に示す兵器砲身の側面図である。
【図３】図１に示す兵器砲身の斜視図である。
【符号の説明】
１…兵器砲身
２…砲口制退器
３…砲口領域
４…ジャケット管
５…ストッパ
６…ねじ
７…ねじリング
８…嵌め合いばね溝
９…嵌め合いばね
１０…外側の表面
１１…内側の表面
１２…砲口
１３…固定片
１４…切欠き歯切り
１５…腔線軸
１６…開口
１７…ガス流出開口
１８…溝
１９…砲口レファレンスシステム
【図１】
0004234462.tif 000002
【図２】
0004234462.tif 000003
【図３】
0004234462.tif 000004